(57)【要約】【課題】  支持ユニットを回転させてＬ字形槽を開き、台座の上半部と下半部間に必要な空間を形成し、切断物を平坦に作業台上に置いて切断時の安定性と平坦度を得ることができる、ワイヤカッター用平面微調整治具の提供。【解決手段】  本考案のワイヤカッター用平面微調整治具は、一端に延伸部を備えた台座と、１つ以上の支持ユニットを含み、該台座の底面から延伸部に近隣する位置にその両側を貫通するＬ字形槽を貫設し、これにより該台座に上半部及び下半部が形成され、該支持ユニットは該台座上に該Ｌ字形槽に対応して設置され、これにより該支持ユニットを回転させて該Ｌ字形槽を開き、台座の上半部と下半部間に必要な空間を形成し、切断物を平らに作業台上に置き、切断時の安定性と平坦度を得ることができる。【選択図】  図１
0003112302.tif 000002
【実用新案登録請求の範囲】
【請求項１】
台座と１つ以上の支持ユニットとを含み、該台座の一端に延伸部を設け、且つ、該台座の底面から延伸部に近隣する位置にその両側に貫通したＬ字形槽を貫設し、これにより該台座に上半部及び下半部が形成され、且つ、該台座上に１つ以上の螺合孔を設けると共に、該支持ユニットは該台座上に設置され、且つ、該Ｌ字形槽に対応して該螺合孔に螺接された、ワイヤカッター用平面微調整治具。
【請求項２】
前記支持ユニットが相互に対応する平面で接触する、請求項１に記載のワイヤカッター用平面微調整治具。
【請求項３】
前記対応して接触する支持ユニット間にボールを設置する、請求項１に記載のワイヤカッター用平面微調整治具。
【請求項４】
前記Ｌ字形槽の一端に上半部と下半部を接続する弧形接続部を設けた、請求項１に記載のワイヤカッター用平面微調整治具。
【請求項５】
台座と１つ以上の支持ユニットとを含み、該台座は上板体及び下板体から構成され、該上板体の一端に延伸部を設け、且つ、該上板体の底面にＬ字形陥没部を形成し、該下板体が該Ｌ字形陥没部内に設置され、且つ、該上板体と下板体の一端を固定部材で連結し、上板体と下板体上に１つ以上の相互に対応する螺合孔をそれぞれ設け、該支持ユニットは該上板体と下板体の螺合孔内に設置され、且つ、相互に押し当てた状態を呈する、ワイヤカッター用平面微調整治具。
【請求項６】
前記対応して接触する支持ユニット間にボールを設置する、請求項５に記載のワイヤカッター用平面微調整治具。
【考案の詳細な説明】
【技術分野】
【０００１】
本考案は、ワイヤカッター用平面微調整治具に関し、詳細には、切断物を作業台上に平らに置き、切断時の安定性と平坦度を得ることができる、ワイヤカッター用平面微調整治具に関する。
【背景技術】
【０００２】
一般に、従来のワイヤカッターで切断を行うときは、切断物を固定部品と切断物を支持する治具で作業台上に固定するか押さえ板で押さえる方法で、該切断物を作業台と切断物を支持する治具の予め定めた位置に固定し、ワイヤカッターで固定後の切断物に対し切断の動作を行う。
【０００３】
しかしながら、切断を行うとき、毎回同じサイズの切断物に対し切断を行うわけではないため、異なる切断物に対し切断を行うとき、一般的に使用者は作業台上で切断物に対し水平度の測量を行い、調整で一定の水平度が得られない場合、作業台と切断物を支持する治具との間にパッドを追加する方法で設置し、必要な高さと平坦度を得ているが、パッドは一定高さの物体であるため、運用時に使用者はさまざまな切断物の高さと水平度に合うよう予め異なる厚さのパッドを準備しなければならず、使用時に適切なパッドを探すという面倒につながり、また、すべてのパッドが皆使用時に必要な厚さ及び水平度に合うわけでもないため、高さ及び水平度の調整が不便である。
【考案の開示】
【考案が解決しようとする課題】
【０００４】
このため、本考案の主な目的は、上述の従来の欠点を改善し、支持ユニットを回転させてＬ字形槽を開き、台座の上半部と下半部間に必要な空間を形成し、切断物を平坦に作業台上に置いて切断時の安定性と平坦度を得ることができる、ワイヤカッター用平面微調整治具を提供することにある。
【課題を解決するための手段】
【０００５】
上述の目的を達するため、本考案のワイヤカッター用平面微調整治具は、一端に延伸部を備えた台座と１つ以上の支持ユニットを含み、この台座はその底面から延伸部に近隣する位置に台座の両側に貫通するＬ字形槽を備え、これにより台座に上半部と下半部を形成し、さらに台座上にＬ字形槽に対応する支持ユニットを設置する。
【考案の効果】
【０００６】
本考案のワイヤカッター用平面微調整治具は、以上のように、効果的に従来のさまざまな欠点を改善することができ、切断物を水平且つ平らに作業台上に置き、切断時の安定性及び平坦度を得ることができるという効果を奏する。
【考案を実施するための最良の形態】
【０００７】
〔実施例１〕
図１及び図２に本考案の実施例１の立体外観図及び本考案の実施例１の断面図をそれぞれ示す。これらの図に示すように、本考案のワイヤカッター用平面微調整治具は、台座１及び１つ以上の支持ユニット２から構成され、この支持ユニット２を回転させて台座１を開き必要な空間を形成することができ、切断物を平らに作業台上に置き、切断時の安定性と平坦度を得ることができる。
【０００８】
上述の台座１の一端に延伸部１１を設け、且つ、この台座１上に１つ以上の固定孔１２及びネジ孔１３を開設し、さらに台座１はその底面から延伸部１１に近隣する位置に両側を貫通したＬ字形槽１４を備え、これにより台座１は上半部１５及び下半部１６が形成される。このＬ字形槽１４の一端は、上半部１５、下半部１６を接続する弧形接続部１７を備え、これにより上半部１５、下半部１６に弾性的な回復力が形成され、且つ、台座１の上半部１５に１つ以上の螺合孔１５１を設ける。
【０００９】
各支持ユニット２は、上述の台座１の螺合孔１５１内に設置され、且つ、Ｌ字形槽１４に対応し、支持ユニット２の上面に陥没部２１を設け、且つ、その外縁周囲に螺合孔１５１と組み合わせるネジ山部２２を形成する。上述の構造により、本考案の新規的なワイヤカッター用平面微調整治具が構成される。
【００１０】
〔実施例２〕
図３及び図４に本考案の実施例２の立体外観図及び本考案の実施例２の断面図をそれぞれ示す。これらの図に示すように、本考案は台座１の上半部１５、下半部１６に相互に対応する１つ以上の螺合孔１５１、１６１をそれぞれ形成し、各螺合孔１５１、１６１内に１つ以上の対応して接触する支持ユニット２、２ａを設置し、そのうち、これら対応して接触する支持ユニット２、２ａの間にボール２３を設置し、２つの支持ユニット２、２ａが押し当てられるとき、より円滑にすると共に、磨耗しにくくすることができる。
【００１１】
〔実施例３、４〕
図５及び図６に本考案の実施例３の断面図及び本考案の実施例４の断面図をそれぞれ示す。これらの図に示すように、これら対応して接触する支持ユニット２、２ａ間は、上述の図３、図４に示すようにボール２３を設置するほか、これら支持ユニット２、２ａが相互に対応する面を図５に示すように曲面として接触させたり、図６に示すように平面として接触させてもよい。
【００１２】
図７及び図８に本考案の装着状態を示す側面図及び本考案の使用状態を示す側面図をそれぞれ示す。これらの図に示すように、本考案の運用時には、固定部品３１を台座１上の固定孔１２に合わせて作業台３の予め定めた位置に固定し、この台座１の一辺に相隣して別途台座１ａを設置し、同じ固定方式で作業台３の相隣する予め定めた位置に固定する。これにより、切断物５を台座１、１ａの延伸部１１及び１１ａ上に設置した後、ネジ部品４１を備えた押さえ板４を台座１、１ａのネジ孔１３、１３ａ内にネジ留めし、これにより切断物５を台座１、１ａの延伸部１１及び１１ａと押さえ板４の間に位置決めし固定することができる。このとき、此時，若發現該待切断物５とワイヤカッター６の切断面の水平度が平坦でない場合、工具（図未表示）を支持ユニット２の陥没部２１に合わせて回転させ（必要な上下分に基づき時計回りまたは反時計回りに回転させる）、該支持ユニット２により台座１上のＬ字形槽１４を開き（または閉じ）、台座上の上半部１５、下半部１６を開き（または閉じ）必要な空間を形成し、延伸部１１を連動して上方向（または下方向）に位置移動させ、微調整を行うことができる。これにより、切断物５を必要な水平度で平らに作業台上に置くことができ、切断時の安定性と平坦度を得ることができる。
【００１３】
〔実施例５〕
図９及び図１０に本考案の実施例５の立体外観図及び本考案の実施例５の断面図をそれぞれ示す。これらの図に示すように、本考案の台座７は、上板体７１及び下板体７２で構成してもよく、この上板体７１の一端に延伸部７１１を設け、且つ、上板体７１底面にＬ字形陥没部７１２を形成し、下板体７２をこのＬ字形陥没部７１２内に設置し、且つ、該上板体７１、下板体７２の一端を固定部材７３で連結し、上板体７１、下板体７２上に１つ以上の相互に対応する螺合孔７４、７５をそれぞれ設け、さらに台座７上にネジ部品（図未表示）を用い作業台及び押さえ板（図未表示）とネジ留めする１つ以上の固定孔７６とネジ孔７７を設け、さらに上板体７１、下板体７２の螺合孔７４、７５内に設置する１つ以上の支持ユニット８，該支持ユニット８は相互に押し当てた状態を呈し、且つ、この対応して接触する支持ユニット８の間にボール８３を設置してもよく、各支持ユニット８の端面に陥没部８１を形成し、且つ、その外縁周囲にネジ山部８２を形成する。これにより、同様に支持ユニット８を回転させ、Ｌ字形陥没部７１２を介して上板体７１、下板体７２を開き（または閉じ）、台座７の上板体７１、下板体７２間に必要な空間を形成し、切断物を平らに作業台上に置き、切断時の安定性及び平坦度を得ることができる。
【００１４】
上述のように、本考案のワイヤカッター用平面微調整治具は、効果的に従来のさまざまな欠点を改善することができ、切断物を水平且つ平らに作業台上に置き、切断時の安定性及び平坦度を得ることができ、本考案をより進歩的、実用的且つ使用者のニーズに合うものにしており、実用新案登録出願の要件を満たしているため、ここに出願を行うものである。
【００１５】
以上で述べた説明は、本考案の最良の実施例に基づくものであり、本考案の実施の範囲を制限するものではないため、本考案の実用新案登録請求の範囲及び明細書の内容に基づく簡単な同等効果を得られる変化や修飾もすべて本考案の特許の範囲内に含まれるものとする。
【図面の簡単な説明】
【００１６】
【図１】本考案の実施例１の立体外観図である。
【図２】本考案の実施例１の断面図である。
【図３】本考案の実施例２の立体外観図である。
【図４】本考案の実施例２の断面図である。
【図５】本考案の実施例３の断面図である。
【図６】本考案の実施例４の断面図である。
【図７】本考案の装着状態を示す側面図である。
【図８】本考案の使用状態を示す側面図である。
【図９】本考案の実施例５の立体外観図である。
【図１０】本考案の実施例５の断面図である。
【符号の説明】
【００１７】
１、１ａ      台座
１１、１１ａ  延伸部
１２          固定孔
１３、１３ａ  ネジ孔
１４          Ｌ字形槽
１５          上半部
１５１        螺合孔
１６          下半部
１６１        螺合孔
１７          弧形接続部
２、２ａ      支持ユニット
２１          陥没部
２２          ネジ山部
２３          ボール
３            作業台
３１          固定部品
４            押さえ板
４１          ネジ部品
５            切断物
６            ワイヤカッター
７            台座
７１          上板体
７２          下板体
７１１        延伸部
７１２        Ｌ字形陥没部
７３          固定部材
７４、７５    螺合孔
７６          固定孔
７７          ネジ孔
８            支持ユニット
８１          陥没部
８２          ネジ山部
８３          ボール
【図１】
0003112302.tif 000003
【図２】
0003112302.tif 000004
【図３】
0003112302.tif 000005
【図４】
0003112302.tif 000006
【図５】
0003112302.tif 000007
【図６】
0003112302.tif 000008
【図７】
0003112302.tif 000009
【図８】
0003112302.tif 000010
【図９】
0003112302.tif 000011
【図１０】
0003112302.tif 000012